(57)【要約】【課題】局部ドーミング現象時の色ずれの発生を防止することができるカラー陰極線管を提供する。【解決手段】パネル中央部から赤色蛍光体の中心線までのパネルの長手方向における距離をＲ１、パネル中央部から青色蛍光体の中心線までのパネルの長手方向における距離をＢ１とし、Ｈｐ＝｜Ｂ１−Ｒ１｜／２とし、シャドウマスクの局部ドーミング前において、パネル中央部から赤色蛍光体に対応した電子ビームの中心までのパネルの長手方向における距離をＢＲ１、パネル中央部から青色蛍光体に対応した電子ビームの中心までのパネルの長手方向における距離をＢＢ１とし、Ｂｐ＝｜ＢＢ１−ＢＲ１｜／２とし、ΔＳ＝Ｂｐ−Ｈｐとし、ΔＳとＢｐとの比ΔＳ／Ｂｐは、前記パネルの中央部から前記端部に向かうにつれて大きくなり、パネル中央部からの距離が１／３から２／３の範囲内で最大となる。【選択図】図１
2008300221.tif 000002
【特許請求の範囲】
【請求項１】
パネル内面に赤、緑、青の蛍光体がストライプ状に形成された蛍光体スクリーンと、
前記蛍光体間に形成された黒色の光吸収体と、
電子銃から発射された３本の電子ビームを、それぞれ赤、緑、青の前記蛍光体に対応させて照射するための開孔を設けたシャドウマスクとを備えたカラー陰極線管であって、
前記パネルの長手方向において、赤、緑、青の１組の蛍光体を１トリオとし、
前記１トリオにおいて、前記パネルの中央部から赤色蛍光体の中心線までの前記パネルの長手方向における距離をＲ１、前記パネルの中央部から青色蛍光体の中心線までの前記パネルの長手方向における距離をＢ１とし、ホールピッチＨｐを、
Ｈｐ＝｜Ｂ１−Ｒ１｜／２
とし、前記シャドウマスクに局部ドーミングが生じる前の状態のときに、前記１トリオにおいて、前記パネルの中央部から赤色蛍光体に対応した前記電子ビームの中心までの前記パネルの長手方向における距離をＢＲ１、前記パネルの中央部から青色蛍光体に対応した前記電子ビームの中心までの前記パネルの長手方向における距離をＢＢ１とし、ビームピッチＢｐを、
Ｂｐ＝｜ＢＢ１−ＢＲ１｜／２
とし、ピッチ差ΔＳを、
ΔＳ＝Ｂｐ−Ｈｐ
とし、前記パネルの長手方向において、前記パネルの中央部から前記蛍光体スクリーンの端部までの距離を１としたときに、前記ピッチ差ΔＳと前記ビームピッチＢｐとの比ΔＳ／Ｂｐは、前記パネルの中央部から前記端部に向かうにつれて大きくなり、前記パネルの中央部からの距離が１／３から２／３の範囲内で最大となることを特徴とするカラー陰極線管。
【請求項２】
前記パネルの中央部からの距離が１／３から２／３の範囲の全域において、前記ピッチ差ΔＳと前記ビームピッチＢｐとの比ΔＳ／Ｂｐは最大になっている請求項１に記載のカラー陰極線管。
【請求項３】
少なくとも前記パネルの中央部からの距離が１／３から２／３の範囲では、前記シャドウマスクの局部ドーミング前において、前記３本の電子ビームの前記各蛍光体への射突位置は、前記３本の電子ビームの各中心が前記各蛍光体の中心線上にある状態に比べ、前記パネルの長手方向の端部側にずらした設定になっている請求項１又は２に記載のカラー陰極線管。
【請求項４】
前記カラー陰極線管の管軸に直交する軸のうち前記パネルの長手方向の軸をＸ軸とすると、前記パネルの中央部からの距離が１／３から２／３の範囲内の少なくとも一部において、前記パネルの短手方向における前記ピッチ差ΔＳと前記ビームピッチＢｐとの比ΔＳ／Ｂｐは、前記パネルのＸ軸近傍において最大になっている請求項１から３のいずれかに記載のカラー陰極線管。
【請求項５】
前記１トリオにおいて、前記パネルの中央部から緑色蛍光体の中心線までの前記パネルの長手方向の距離をＧ１とし、前記１トリオに隣接する別の１トリオにおいて、前記パネルの中央部から緑色蛍光体の中心線までの前記パネルの長手方向における距離をＧ２とし、
Ｔｐ＝｜Ｇ２−Ｇ１｜／３
としたときに、
前記パネル全域においてＴｐ≧Ｈｐの関係を満足する請求項１から４のいずれかに記載のカラー陰極線管。
【発明の詳細な説明】
【技術分野】
【０００１】
本発明は、テレビ受像機等に用いられるカラー陰極線管に関する。
【背景技術】
【０００２】
図４（ａ）は、カラー陰極線管の概略構成の一例を示した断面図である。パネル１及びファンネル２によって真空に維持されたガラス容器を構成している。ガラス容器内に、シャドウマスク（色選別電極）３と、地磁気による電子ビーム４の軌道への影響を軽減する磁気シールド５と、これらを支持するフレーム６とが内蔵されている。
【０００３】
ファンネル２のネック部に電子銃７が内蔵されている。電子銃７から射出された電子ビーム４は、偏向ヨーク８により偏向されて、シャドウマスク３に形成されたスロット状の開孔を通過して、パネル１の内面に形成された矩形状の蛍光体スクリーン９上を走査する。
【０００４】
図４（ｂ）はパネル１の平面図であり、パネル１を表面側から見た図である。以下説明の便宜のために、図４（ａ）、（ｂ）に図示したように、管軸に垂直な水平方向軸をＸ軸、管軸に垂直な上下方向軸をＹ軸、管軸をＺ軸とするＸＹＺ−３次元直交座標系を設定する。Ｘ軸とＹ軸とは管軸（Ｚ軸）上で交差する。この３次元直交座標系において、上側に向かう方向を＋Ｙ方向、パネル１の表面側から見て右側に向かう方向を＋Ｘ方向とする。
【０００５】
図５は、蛍光体スクリーン９の一部を示す平面図である。赤色蛍光体１０Ｒ、緑色蛍光体１０Ｇ及び青色蛍光体１０Ｂを１トリオとし、これをトリオ３０とする。さらに、赤色蛍光体１１Ｒ、緑色蛍光体１１Ｇ及び青色蛍光体１１Ｂを１トリオとし、これをトリオ３１とする。斜線部は黒色光吸収体１２である。
【０００６】
図５に示したように、トリオ３０において、赤色蛍光体１０Ｒの中心線のＸ座標をＲ１、緑色蛍光体１０Ｇの中心線のＸ座標をＧ１、青色蛍光体中１０Ｂの中心線のＸ座標をＢ１としたとき、ホールピッチ（Ｈｐ）は下記の式（１）で表される。
【０００７】
式（１）  Ｈｐ＝｜Ｂ１−Ｒ１｜／２
また、トリオ３１において、赤色蛍光体１１Ｒの中心線のＸ座標をＲ２、緑色蛍光体１１Ｇの中心線のＸ座標をＧ２、青色蛍光体中１０Ｂの中心線のＸ座標をＢ２とする。このとき、正接ピッチ（Ｔｐ）は下記の式（２）で表される。正接ピッチ（Ｔｐ）は、蛍光体やシャドウマスクの開孔を通過した電子ビームが均等に並んでいる状態のピッチである。
【０００８】
式（２）  Ｔｐ＝｜Ｇ２−Ｇ１｜／３
図６は、図５のトリオ３０において、電子ビームの位置を追加した図である。電子ビーム２０Ｒ、電子ビーム２０Ｇ、電子ビーム２０Ｂは、それぞれ赤色蛍光体１０Ｒ、緑色蛍光体１０Ｇ、青色蛍光体１０Ｂに対応している。この３本の電子ビームにおいて、電子ビーム２０Ｒの中心のＸ座標をＢＲ１、電子ビーム２０Ｇの中心のＸ座標をＢＧ１、電子ビーム２０Ｂの中心のＸ座標をＢＢ１とする。このとき、ビームピッチ（Ｂｐ）は、下記の式（３）で表される。
【０００９】
式（３）  Ｂｐ＝｜ＢＢ１−ＢＲ１｜／２
前記のような従来のカラー陰極線管においては、ドーミングによる色ズレの問題が指摘されている。カラー陰極線管が使用される条件下では、画面領域の中で明暗がある場合が多く、明るい領域では、電子ビーム４の密度が高くなり、電子ビーム４の射突エネルギーが暗い部分より相対的に大きくなる。この場合、明るい領域でシャドウマスク３が局所的に熱膨張を起こし、変形することを局部ドーミング現象という。
【００１０】
局部ドーミングの発生現象について、図７を参照しながら説明する。電子銃７から射出された電子ビーム４は、シャドウマスク３を通過し、パネル１内面に形成された蛍光体スクリーン９面に到達する。射出される電子ビーム４の８０％以上は、シャドウマスク３に射突してこれを加熱する。
【００１１】
破線３ａで示した箇所は、局部ドーミング現象が生じた箇所を表している。この箇所では、シャドウマスク３が電子ビーム４の射突エネルギーにより局所的に熱膨張し、変形している。この変形により、Ｂ点にあった開孔がＣ点に移動している。これにより、この開孔を通過した電子ビーム４が蛍光体スクリーン９上に射突する地点がＤ点からＥ点へ移動し、色ずれが発生する。
【００１２】
ここで、図８に蛍光体スクリーン９内における各色の蛍光体位置に対する各色の電子ビーム４の相対位置を示している。前記のような局部ドーミングが発生した場合、図８（ａ）に示すように、赤色、緑色、青色の電子ビームはパネル１の中央方向へと移動する。また、局部ドーミング現象時には、図７に示したように、シャドウマスク３は破線３ａの状態になることから、シャドウマスク３とパネル１内面との間の距離が小さくなる。このため、図８（ｂ）に示すように、赤色に対応した電子ビームと、青色に対応した電子ビームとの間の距離が小さくなる。
【００１３】
その結果、図８（ａ）及び（ｂ）の状態が組み合わさり、図８（ｃ）の状態になる。すなわち、蛍光体スクリーン９上において、パネル１の中央部に対し右側（＋Ｘ側）では、３色の電子ビーム４の移動量は赤（Ｒ）＜緑（Ｇ）＜青（Ｂ）となり、３色間の間隔がずれ、色ずれを発生する。
【００１４】
この問題を解決するための技術として、例えば特許文献１に提案されたものがある。図９は、特許文献１に提案されているビームピッチとホールピッチの関係を示す図である。図９の横軸は、蛍光体面上の中心からの距離を表している。蛍光体面上の中心からの距離は、パネル１の中央部から蛍光体スクリーン９の長手方向端部までの距離を１としたときの距離に相当する。図９の縦軸は、ビーム並び率とＢＭ並び率との差を示している。算出式は異なるが、ビーム並び率は、前記式（３）のビームピッチ（Ｂｐ）に相当し、ＢＭ並び率は前記式（１）のホールピッチに相当する。
【００１５】
図９は、蛍光体スクリーン９上の電子ビーム４の密度が均一に動作しているときを示している。特許文献１の技術は、図９に示したように、蛍光体スクリーン９の領域の２／３の位置で、ビーム並び率とＢＭ並び率との差を最大と設定することにより、局部ドーミング現象時に発生する色ずれを防止できるとしている。
【特許文献１】特開平３−２３６１４０号公報
【発明の開示】
【発明が解決しようとする課題】
【００１６】
しかしながら、前記のように、蛍光体面上の中心から２／３の位置でビーム並び率とＢＭ並び率との差を最大としたカラー陰極線管には、以下のような問題があった。
【００１７】
局部ドーミング現象に最も影響を受ける位置は、蛍光体面上の中心から２／３の位置だけでなく、後に説明するように蛍光体面上の中心から１／３〜２／３の領域に及んでいる。また、局部ドーミング現象に最も影響を受ける長手方向の中心軸上かつ１／３〜２／３の領域と、影響が小さい短手方向の末端領域とでは、局部ドーミング現象時のビーム並び率（ビームピッチＢｐ）の変化率に差が生じる。その結果、ビーム並び率（ビームピッチＢｐ）とＢＭ並び率（ホールピッチＨｐ）との差を長手方向で、かつパネル１上の２／３の距離点で最大とすると、ビーム並び率（ビームピッチＢｐ）の変化率との相違が生じ、色ずれが発生しやすくなる。
【００１８】
本発明は、前記のような従来の問題を解決するものであり、局部ドーミング現象時の色ずれの発生を防止したカラー陰極線管を提供することを目的とする。
【課題を解決するための手段】
【００１９】
前記目的を達成するために、本発明のカラー陰極線管は、パネル内面に赤、緑、青の蛍光体がストライプ状に形成された蛍光体スクリーンと、前記蛍光体間に形成された黒色の光吸収体と、電子銃から発射された３本の電子ビームを、それぞれ赤、緑、青の前記蛍光体に対応させて照射するための開孔を設けたシャドウマスクとを備えたカラー陰極線管であって、前記パネルの長手方向において、赤、緑、青の１組の蛍光体を１トリオとし、前記１トリオにおいて、前記パネルの中央部から赤色蛍光体の中心線までの前記パネルの長手方向における距離をＲ１、前記パネルの中央部から青色蛍光体の中心線までの前記パネルの長手方向における距離をＢ１とし、ホールピッチＨｐを、Ｈｐ＝｜Ｂ１−Ｒ１｜／２とし、前記シャドウマスクに局部ドーミングが生じる前の状態のときに、前記１トリオにおいて、前記パネルの中央部から赤色蛍光体に対応した前記電子ビームの中心までの前記パネルの長手方向における距離をＢＲ１、前記パネルの中央部から青色蛍光体に対応した前記電子ビームの中心までの前記パネルの長手方向における距離をＢＢ１とし、ビームピッチＢｐを、Ｂｐ＝｜ＢＢ１−ＢＲ１｜／２とし、ピッチ差ΔＳを、ΔＳ＝Ｂｐ−Ｈｐとし、前記パネルの長手方向において、前記パネルの中央部から前記蛍光体スクリーンの端部までの距離を１としたときに、前記ピッチ差ΔＳと前記ビームピッチＢｐとの比ΔＳ／Ｂｐは、前記パネルの中央部から前記端部に向かうにつれて大きくなり、前記パネルの中央部からの距離が１／３から２／３の範囲内で最大となることを特徴とする。
【発明の効果】
【００２０】
本発明によれば、局部ドーミング現象時の色ずれの発生を防止することができる。
【発明を実施するための最良の形態】
【００２１】
本発明のカラー陰極線管によれば、局部ドーミング現象時に、パネルの長手方向において、３色の電子ビームが大幅にミスランディングし色むら現象が最大となる領域の色ずれを補正できる。
【００２２】
前記本発明のカラー陰極線管においては、前記パネルの中央部からの距離が１／３から２／３の範囲の全域において、前記ピッチ差ΔＳと前記ビームピッチＢｐとの比ΔＳ／Ｂｐは最大になっていることが好ましい。この構成によれば、色むら防止に特に有利になる。
【００２３】
また、少なくとも前記パネルの中央部からの距離が１／３から２／３の範囲では、前記シャドウマスクの局部ドーミング前において、前記３本の電子ビームの前記各蛍光体への射突位置は、前記３本の電子ビームの各中心が前記各蛍光体の中心線上にある状態に比べ、前記パネルの長手方向の端部側にずらした設定になっていることが好ましい。この構成によれば、輝度の低下も最小限に抑えることができる。
【００２４】
また、前記カラー陰極線管の管軸に直交する軸のうち前記パネルの長手方向の軸をＸ軸とすると、前記パネルの中央部からの距離が１／３から２／３の範囲内の少なくとも一部において、前記パネルの短手方向における前記ピッチ差ΔＳと前記ビームピッチＢｐとの比ΔＳ／Ｂｐは、前記パネルのＸ軸近傍において最大になっていることが好ましい。この構成によれば、パネルの短手方向において、３色の電子ビームが大幅にミスランディングし色むら現象が最大となる領域の色ずれを補正できる。
【００２５】
また、前記１トリオにおいて、前記パネルの中央部から緑色蛍光体の中心線までの前記パネルの長手方向の距離をＧ１とし、前記１トリオに隣接する別の１トリオにおいて、前記パネルの中央部から緑色蛍光体の中心線までの前記パネルの長手方向における距離をＧ２とし、Ｔｐ＝｜Ｇ２−Ｇ１｜／３としたときに、前記パネル全域においてＴｐ≧Ｈｐの関係を満足することが好ましい。この構成によれば、パネル内面とシャドウマスクとの距離のばらつきによって、電子ビームが所定の蛍光体以外の蛍光体へ射突することの防止に有利になる。
【００２６】
以下、図面を参照しながら、本発明の一実施の形態について説明する。カラー陰極線管の全体構成は、図４に示した従来のカラー陰極線管とほぼ同一であるので詳細な説明を省略する。また、以下の各実施の形態においても、図４（ａ）、（ｂ）に示したように、管軸に垂直な水平方向軸をＸ軸、管軸に垂直な上下方向軸をＹ軸、管軸をＺ軸とするＸＹＺ−３次元直交座標系を設定する。この座標系において、上側に向かう方向を＋Ｙ方向、パネル表面側から見て右側に向かう方向を＋Ｘ方向とする。さらに前記式（１）〜（３）で定義したホールピッチ（Ｈｐ）、正接ピッチ（Ｔｐ）、ビームピッチ（Ｂｐ）を用いる。
【００２７】
（実施の形態１）
図１（ａ）の２点鎖線は、蛍光体スクリーン位置と局部ドーミングによるビームピッチの変化率の比率との関係を示す。横軸の蛍光体スクリーン位置は、パネル１の中央部から蛍光体スクリーン９の長手方向端部までの距離を１としたときの距離に相当する。このことは、図１（ｂ）についても同様である。
【００２８】
ビームピッチ変化率は、局部ドーミング前のビームピッチをＢｐ１、局部ドーミング後のビームピッチをＢｐ２とすると、以下の式（４）で表される。
【００２９】
式（４）  [（Ｂｐ２−Ｂｐ１）／Ｂｐ１]×１００
縦軸の数値は、式（４）で算出されるビームピッチ変化率そのものの数値ではなく、最大のビームピッチ変化率を１００％としたときのビームピッチ変化率の比率である。図１（ａ）から分かるように、ビームピッチ変化率（２点鎖線）は、パネル中央から周辺へかけて減少する。
【００３０】
図１（ａ）の実線は、蛍光体スクリーン位置と局部ドーミングによる電子ビームのパネル上でのパネル中心方向への電子ビーム移動量との関係を示す。電子ビーム移動量を示す実線における縦軸の数値は、電子ビーム移動量を、最大移動量を１００％としたときの比率で表したものになる。
【００３１】
図１（ａ）において、蛍光体スクリーン位置が０付近（パネル中央付近）では、ビームピッチ変化率（２点鎖線）は大きいが、電子ビーム移動量（実線）が少ない。このため、パネル中央付近では、自色欠けは発生し難く、色むらも発生し難い。なお、自色欠けとは、蛍光体の全幅が発光せず、非発光域（欠け）が生じている状態である。自色欠けについては、後に図２を参照して改めて説明する。
【００３２】
蛍光体スクリーン位置が２／３から１の範囲では、電子ビーム移動量（実線）が比較的大きく自色欠けは発生し易いが、ビームピッチ変化率（２点鎖線）が小さいため、輝度の低下はあっても顕著な色むらは発生しない。蛍光体スクリーン位置が１／３から２／３の範囲は、電子ビーム移動量（実線）が大きく自色欠けが発生し易い上に、ビームピッチ変化率（２点鎖線）も大きいので色むらが顕著に現れる領域となる。このことの詳細は、後に図２を参照しながら説明する。
【００３３】
図１（ｂ）は、蛍光体スクリーン位置と（ΔＳ／Ｂｐ）×１００との関係を示す図である。ΔＳはピッチ差であり、下記の式（５）で表される。
【００３４】
式（５）  ΔＳ＝Ｂｐ−Ｈｐ
ビームピッチＢｐは前記式（３）で定義しており、ホールピッチＨｐは前記式（１）で定義している。
【００３５】
図１（ｂ）は、蛍光体スクリーン９全域に電子ビーム４が均一に動作し、点灯後数十分放置し、シャドウマスク３の熱膨張を安定させた状態を示している。本実施の形態は、蛍光体スクリーン位置が０から大きくなるにつれて、（ΔＳ／Ｂｐ）×１００を大きくし、１／３から２／３の範囲内で（ΔＳ／Ｂｐ）×１００を最大にするというものである。これは、前記のように、蛍光体スクリーン位置が１／３〜２／３の範囲において、色むら現象が最大となることに対応させている。（ΔＳ／Ｂｐ）×１００の最大値は１〜２％が好ましく、図１（ｂ）の例では、２％である。
【００３６】
なお、色むら現象を防止する設定値の対象を、ΔＳではなくΔＳ／Ｂｐとしたのは、ビームピッチＢｐは画面中央から周辺へ行くにしたがって大きくすることが通常であることを考慮したためである。
【００３７】
図１（ｂ）では、蛍光体スクリーン位置が１／３から２／３の範囲内で（ΔＳ／Ｂｐ）×１００は、一定値としている。この構成は、色むら現象が大きくなる領域の全域において、ΔＳ／Ｂｐを最大にしているので、色むら防止に特に有利になる。また、色むらを防止できれば、他の構成でもよく、図１（ｂ）の例に比べ、一定値の範囲が狭いものでもよく、最大値が極値になっていてもよい。
【００３８】
図２は、局部ドーミング前後の各色蛍光体とそれらに対応する電子ビームの射突位置を説明する図である。局部ドーミング前とは、電子ビーム４の蛍光体スクリーン上での密度を均一にして点灯後数十分以上放置して、シャドウマスク３の温度分布が安定した状態をいう。
【００３９】
図２の各図において、黒色光吸収体１２の間に、赤色蛍光体１０Ｒ、緑色蛍光体１０Ｇ、青色蛍光体１０Ｂが形成されている。赤色蛍光体１０Ｒには電子ビーム２０Ｒが射突し、緑色蛍光体１０Ｇには電子ビーム２０Ｇが射突し、青色蛍光体１０Ｂには電子ビーム２０Ｂが射突している。
【００４０】
図２の各図には、３組分の電子ビーム（実線、破線、一点鎖線）を図示しているが、図示を見易くするため、符号は１組分の電子ビーム（実線）のみに付した。
【００４１】
図２（ａ）は、局部ドーミング前の状態を示している。実線で示した電子ビームは、局部ドーミング前のビームピッチＢｐとホールピッチＨｐとの関係が、Ｂｐ＝Ｈｐの例を示している。実線で示した電子ビームは、局部ドーミング前は、図２（ａ）のように、各色蛍光体（１０Ｒ、１０Ｇ、１０Ｂ）の中心と各色に対応する電子ビーム（２０Ｒ、２０Ｇ、２０Ｂ）の中心とが一致している。
【００４２】
図２（ｂ）は、ビームピッチＢｐの変化が無いことを前提としたときに、ドーミングにより、電子ビーム（２０Ｒ、２０Ｇ、２０Ｂ）が移動した状態を示している。図２（ｂ）に示したように、電子ビーム（２０Ｒ、２０Ｇ、２０Ｂ）は、画面中央方向（図の左側）に移動している。移動量は条件によって異なるが、図２（ｂ）は、蛍光体（１０Ｒ、１０Ｇ、１０Ｂ）の全幅が発光せず非発光域が生じている状態まで電子ビームが移動した例を示している。この状態が前記の自色欠けの生じている状態である。
【００４３】
しかしながら、前記の通り、図２（ｂ）はビームピッチＢｐの変化が無いことを前提としているので、図２（ｂ）の状態は実際とは異なる。すなわち、実際には、電子ビーム（２０Ｒ、２０Ｇ、２０Ｂ）の移動と同時にビームピッチＢｐも小さくなる。
【００４４】
図２（ｃ）は、電子ビーム（２０Ｒ、２０Ｇ、２０Ｂ）の移動と同時にビームピッチＢｐも小さくなった状態を示している。図２（ｂ）と図２（ｃ）とにおいて、実線で示した電子ビーム（２０Ｒ、２０Ｇ、２０Ｂ）同士を比較してみると、図２（ｃ）では、赤色に対応する電子ビーム２０Ｒと青色に対応する電子ビーム２０Ｂとが共に、緑色に対応する電子ビーム２０Ｇに近づいている。この状態では、各色蛍光体における電子ビームの欠け量の関係は、赤の欠け量＜緑の欠け量＜青の欠け量となり、色むらが発生してしまう。
【００４５】
すなわち、色むらは、電子ビームの移動量が大きく、かつビームピッチＢｐの変化も大きい範囲で発生する。このような範囲は、図１（ｂ）を参照して説明したように、蛍光体スクリーン位置が１／３から２／３の範囲である。
【００４６】
これに対して、図２（ａ）において破線で示した電子ビームは、局部ドーミング前のビームピッチＢｐとホールピッチＨｐとの関係が、Ｂｐ＞Ｈｐとした例を示している。この破線で示した電子ビームにおいて、Ｂｐ＝Ｈｐとした実線の例と同じ量のビーム移動があったときの状態を、図２（ｂ）に破線で示している。さらに、実線の例と同じ量のビームピッチの変化があったときの状態を、図２（ｃ）に破線で示している。
【００４７】
前記の通り、図２（ｂ）の状態は、図２（ａ）の状態からビームピッチＢｐの変化が無いことを前提としている。このため、図２（ｂ）の破線部分は、図２（ａ）のビームピッチＢｐを保ったまま、電子ビームが移動した状態になっており、各色蛍光体における電子ビームの欠け量が不均一になっている。
【００４８】
一方、前記の通り、図２（ｃ）の状態は、電子ビームの移動と同時にビームピッチＢｐも小さくなった状態を示している。破線の電子ビームは、あらかじめＢｐ＞Ｈｐと設定した状態が、ドーミングによるビームピッチＢｐの縮小によって、Ｂｐ＝Ｈｐとなるように変位することにより、各色蛍光体における電子ビームの欠け量が均一になっている。このことにより、輝度は低下することになるが、各色蛍光体における電子ビームの欠け量は均一になるので、色むらの発生は回避することができる。
【００４９】
図２（ａ）の１点鎖線は、より好ましい設定状態を示している。１点鎖線で示した電子ビームの設定は、局部ドーミング前における各色に対応する電子ビームの射突位置が、各色蛍光体に対し外寄り（パネル中心側と反対側）に変位した位置になるようにしたものである。これは、前記の通り、局部ドーミングによる電子ビームはパネル中心側に移動することに着眼したものである。
【００５０】
図２（ｂ）において、破線と１点鎖線とを比べてみると、あらかじめ電子ビームの射突位置を外寄りに変位させていた１点鎖線の電子ビームの位置は、破線の電子ビームの位置に比べ、各色蛍光体における電子ビームの欠け量が小さくなる位置である。一方、電子ビームの移動と同時にビームピッチＢｐも小さくなった図２（ｃ）では、ドーミングによるビームピッチＢｐの縮小によって、各色蛍光体における電子ビームの欠け量が均一になっている。
【００５１】
すなわち、１点鎖線の設定では、破線の設定と同様に各色の欠け量を均一にして色むらの発生を回避できるとともに、各色の欠け量を小さくできるので、輝度の低下も最小限に抑えることができる。
【００５２】
このような設定は、前記のように、色むらが顕著に現れ易い領域、すなわち、パネル長手方向において、長手端を１として１／３〜２／３の領域において、ΔＳ／Ｂｐを最大にして設定すればよい。
【００５３】
以下の表１に、具体的な数値例（単位μｍ）を示す。プラスの数値は、各色外側においてビームが黒色吸収体に重なり合っている量、マイナスの数値は各色外側の欠け量を表している。
【００５４】
【表１】
2008300221.tif 000003
【００５５】
表１の結果から分かるように、Ｂｐ＞Ｈｐとした図２の破線に相当する例は、局部ドーミング時において、各色の欠け量が等しく、色むらの発生が抑えられているといえる。Ｂｐ＞Ｈｐに加えて局部ドーミング前の電子ビームの射突位置を外寄りにした図２の１点鎖線に相当する例は、各色の欠け量が等しくかつ小さい。このため、この例では色むらの発生及び輝度低下のいずれもが抑えられているといえる。
【００５６】
（実施の形態２）
図３（ａ）は、横軸は蛍光体スクリーン位置であり、パネル１の短手方向（Ｙ軸方向）におけるＸ軸上からの距離を表している。横軸の値は、Ｘ軸上を０とし蛍光体スクリーン９の上側端部までの距離を１、下側端部までの距離を−１としたときの値を示している。このことは図３（ｂ）についても同様である。
【００５７】
縦軸は局部ドーミング現象時のビームピッチ（Ｂｐ）変化率及び電子ビーム移動量を示し、いずれもＸ軸上を１００％としている。２点鎖線がビームピッチ（Ｂｐ）変化率であり、実線が電子ビーム移動量である。ビームピッチ（Ｂｐ）及び電子ビーム移動量共に、Ｘ軸上で最大になり、短手方向の末端に向けて小さくなる。
【００５８】
また、実線及び２点鎖線で示した各値は、パネル１の長手方向（Ｘ軸方向）においては同じ位置の値である。具体的には、各値のＸ軸方向の位置は、パネル１の中央部から蛍光体スクリーン９の長手方向端部までの距離を１としたときに、±１／２の位置である。このことは、図３（ｂ）についても同様である。
【００５９】
図３（ｂ）は、蛍光体スクリーン位置と（ΔＳ／Ｂｐ）×１００との関係を示している。図３（ａ）に示したように、ビームピッチ（Ｂｐ）変化率は、Ｘ軸上が最大となり、短手方向末端に近づくにつれて、小さくなっている。このことに対応させて、ΔＳ／Ｂｐは、Ｘ軸上で最大とし、短手方向末端に近づくにつれて、小さくしている。
【００６０】
この構成は、前記実施の形態１の構成と組み合わせるのが好ましい。具体的には、実施の形態１のように、蛍光体スクリーン位置が１／３から２／３の範囲内の少なくとも一部においてΔＳ／Ｂｐが最大になる構成にするとともに、ΔＳ／Ｂｐが最大になっている部分においては、ΔＳ／ＢｐはＸ軸上で最大となり、短手方向末端に近づくにつれて小さくしている構成にすればよい。
【００６１】
すなわち、実施の形態１と実施の形態２とを組み合わせることにより、蛍光体スクリーン９全域において、局部ドーミング現象時とそれ以外の通常の状態において、ミスランディングによって発生する色ずれの防止ができることになる。このことにより、画面全域でコントラスト、色純度を向上させることができる。
【００６２】
（実施の形態３）
パネル内面とシャドウマスクとの間の距離は、シャドウマスクの開孔を通過後の電子ビームの進行距離であるので、ビームピッチ（Ｂｐ）に比例的に影響する。一方、既知の通り、蛍光体ストライプはパネルにシャドウマスクを装着した状態で、パネル内面に塗布した蛍光体膜を電子ビームに相当する露光光線で露光し、現像することにより形成される。このため、パネル内面とシャドウマスクとの間の距離の変化は、ビームピッチ（Ｂｐ）と同様に、ホールピッチ（Ｈｐ）にも比例的に影響する。
【００６３】
すなわち、パネル内面とシャドウマスクとの間の距離がばらつくと、このばらつきの量に応じて、ビームピッチ（Ｂｐ）及びホールピッチ（Ｈｐ）が変化することになる。このため、パネル内面とシャドウマスクとの間の距離がばらついても、前記のＢｐ＞Ｈｐの関係に設定することによる色むら防止効果は変りない。
【００６４】
しかしながら、パネル内面とシャドウマスクとの間の距離がばらついて、ビームピッチ（Ｂｐ）やホールピッチ（Ｈｐ）が拡大又は縮小して蛍光体の間隔が不均一になると、言い換えれば、蛍光体間の黒色光吸収体の幅が不均一になると、幅の縮小した黒色光吸収体も形成されることになる。このような黒色光吸収体は、その幅の余裕も減少し、電子ビームが所定の色以外の色の蛍光体に射突するまでの余裕が減少してしまうという問題がある。
【００６５】
ここで、図５を参照しながら、ホールピッチＨｐと正接ピッチＴｐとの関係について説明する。ホールピッチＨｐ及び正接ピッチＴｐについては、すでに説明したが、説明の便宜のため、改めて説明する。
【００６６】
図５に示したように、トリオ３０において、赤色蛍光体１０Ｒの中心線のＸ座標をＲ１、緑色蛍光体１０Ｇの中心線のＸ座標をＧ１、青色蛍光体中１０Ｂの中心線のＸ座標をＢ１としたとき、ホールピッチＨｐは、前記式（１）の通り下記のように表される。
【００６７】
Ｈｐ＝｜Ｂ１−Ｒ１｜／２
トリオ３０における緑色蛍光体１０Ｇの中心線のＸ座標をＧ１、トリオ３１における緑色蛍光体１１Ｇの中心線のＸ座標をＧ２としたとき、正接ピッチＴｐは、前記式（２）の通り、下記のように表される。
【００６８】
Ｔｐ＝｜Ｇ２−Ｇ１｜／３
正接ピッチＴｐは、蛍光体やシャドウマスクの開孔を通過した電子ビームが均等に並んでいる状態のピッチである。すなわち、正接ピッチＴｐは、理想的な基準値のことである。
【００６９】
なお、蛍光体の形成時において、パネル内面とシャドウマスクとの間の距離ががばらついても、Ｇ２−Ｇ１の値は設定値とほぼ同じ値を確保できる。このため、Ｇ２及びＧ１を実測し前記式により算出したＴｐの値を、基準値Ｔｐとして取り扱うことができる。
【００７０】
Ｈｐ＝Ｔｐのときは、各色蛍光体が均一ピッチで並んでいる状態である。このときは、赤色蛍光体１０Ｒと緑色蛍光体１０Ｇとの間、緑色蛍光体１０Ｇと青色蛍光体中１０Ｂとの間、及び青色蛍光体中１０Ｂと赤色蛍光体１１Ｒとの間における黒色光吸収体１２の幅も均一である。このときの黒色光吸収体１２の幅をＢｋとする。
【００７１】
次に、各色蛍光体幅を維持したまま、Ｈｐが増減した場合を考えてみる。Ｈｐが１単位、例えば１μｍ小さくなった場合は、赤色蛍光体１０Ｒと緑色蛍光体１０Ｇとの間、及び緑色蛍光体１０Ｇと青色蛍光体中１０Ｂとの間の黒色光吸収体１２の幅は、Ｂｋ−１となる。そして、青色蛍光体中１０Ｂと赤色蛍光体１１Ｒとの間の幅は、Ｂｋ＋２となる。
【００７２】
黒色光吸収体１２の幅が小さいほど、電子ビームが射突すべき蛍光体以外の蛍光体に射突し易くなる。したがって、Ｈｐが１単位小さくなった場合の最も不利な黒色光吸収体１２の幅は、Ｂｋ−１となる。
【００７３】
Ｈｐが１単位減少する前後において、基準値であるＴｐの値は不変である。一方、Ｈｐが１μｍ小さくなると、Ｈｐ＝Ｔｐ−１となり、Ｔｐ＞Ｈｐの関係が成り立つ。
【００７４】
次に、Ｈｐが１単位、例えば１μｍ大きくなった場合は、赤色蛍光体１０Ｒと緑色蛍光体１０Ｇとの間、及び緑色蛍光体１０Ｇと青色蛍光体中１０Ｂとの間の黒色光吸収体１２の幅は、Ｂｋ＋１となる。そして、青色蛍光体中１０Ｂと赤色蛍光体１１Ｒとの間の幅はＢｋ−２となる。この場合の最も不利な黒色光吸収体１２の幅はＢｋ−２となる。
【００７５】
Ｈｐが１単位増加する前後において、基準値であるＴｐの値は不変である。一方、Ｈｐが１μｍ大きくなると、Ｈｐ＝Ｔｐ＋１となり、Ｔｐ＜Ｈｐの関係が成り立つ。
【００７６】
以上より、Ｈｐが１μｍ増減した場合、最も不利な黒色光吸収体１２の幅は、Ｈｐが１μｍ大きくなったとき、すなわちＴｐ＜ＨｐのときのＢｋ−２となる。したがって、Ｈｐ＝Ｔｐの基準で製造したとしても、製造ばらつきにより、Ｈｐが１μｍ大きくなった場合は、黒色光吸収体１２のうちその幅が減少するものについては、減少量は１μｍの２倍相当分（２μｍ）になる。他方、Ｈｐが１μｍ小さくなったとき、すなわちＴｐ＞Ｈｐのときは、黒色光吸収体１２のうちその幅が減少するものについては、減少量は１μｍの等倍分（１μｍ）の減少に止まることになる。
【００７７】
このことから、Ｔｐ＞Ｈｐの設定で製造すれば、Ｈｐが大きくなるようにばらついても、黒色光吸収体１２の幅が前記のＢｋ−２となる部分は、あらかじめ大きく設定しているので、必要な幅を確保することが可能になる。また、Ｔｐ＞Ｈｐの設定で製造し、Ｈｐが小さくなるようにばらついた場合は、製造後においてもＴｐ＞Ｈｐとなる。この場合、黒色光吸収体１２の幅の減少量は、Ｈｐの減少量の等倍分に止まることになる。
【００７８】
他方、Ｔｐ＞Ｈｐの設定で製造し、Ｈｐが大きくなるようにばらついても、製造後においてＴｐ≧Ｈｐとなっていればよい。すなわち、Ｈｐの増加がＨｐ＝Ｔｐとなるまでの範囲であれば、Ｈｐは基準値に近づき、黒色光吸収体１２も基準値に近づくので、製造ばらつきは基準値に近づくように作用することになる。
【００７９】
したがって、製造後においてＴｐ≧Ｈｐの状態になっていれば、この状態は必要な黒色光吸収体の幅が確保された状態であるといえ、ミスランディングによる色ずれに有利な状態であるといえる。
【００８０】
したがって、実施の形態１の構成や、実施の形態１と実施の形態２とを組み合わせた構成に加えて、パネル全域でＴｐ≧Ｈｐとなるように設定すれば、色むらの発生を回避できるとともに、パネル内面とシャドウマスクとの距離のばらつきによって、電子ビームが所定の蛍光体以外の蛍光体へ射突することの防止に有利になる。
【産業上の利用可能性】
【００８１】
本発明によれば、局部ドーミング現象時の色ずれの発生を防止することができるので、テレビ受像機等に用いられるカラー陰極線管に有用である。
【図面の簡単な説明】
【００８２】
【図１】（ａ）は、局部ドーミング現象時において、パネル長手方向でかつＸ軸上のビームピッチ変化と電子ビーム移動量との関係を示す図、（ｂ）は、本発明の一実施の形態に係る蛍光体スクリーン位置と、ピッチ差ΔＳとビームピッチＢｐとの比ΔＳ／Ｂｐとの関係を示す図。
【図２】（ａ）は局部ドーミング前における各色蛍光体とそれらに対応する電子ビームの射突位置を示す図、（ｂ）はビームピッチＢｐの変化が無いことを前提としたときに、局部ドーミング後における各色蛍光体とそれらに対応する電子ビームの射突位置を示す図、（ｃ）は局部ドーミング後における各色蛍光体とそれらに対応する電子ビームの射突位置を示す図。
【図３】（ａ）は蛍光体スクリーン位置と、局部ドーミング現象時のビームピッチ（Ｂｐ）変化率及び電子ビーム移動量との関係を示す図、（ｂ）は本発明の一実施の形態に係る蛍光体スクリーン位置と、ピッチ差ΔＳとビームピッチＢｐとの比ΔＳ／Ｂｐとの関係を示す図。
【図４】（ａ）はカラー陰極線管の概略構成の一例を示した断面図、（ｂ）は蛍光体スクリーン９を表面側から見た図。
【図５】蛍光体スクリーン９の一部を示す平面図。
【図６】図５のトリオ３０において、電子ビームの位置を追加した図。
【図７】局部ドーミングの発生現象説明する図。
【図８】（ａ）は赤色、緑色、青色の電子ビームが−Ｘ方向へ移動した状態を示す図、（ｂ）は電子ビーム間の距離が小さくなった状態を示す図、（ｃ）は（ａ）及び（ｂ）の状態が組み合わさった状態を示す図。
【図９】従来のビームピッチとホールピッチの関係の一例を示す図。
【符号の説明】
【００８３】
１  パネル
２  ファンネル
３  シャドウマスク（色選別電極）
４  電子ビーム
５  磁気シールド
６  フレーム
７  電子銃
８  偏向ヨーク
９  蛍光体スクリーン
１０Ｒ，１１Ｒ  赤色蛍光体
１０Ｇ，１１Ｇ  緑色蛍光体
１０Ｂ，１１Ｂ  青色蛍光体
２０Ｒ  赤色蛍光体に対応した電子ビーム
２０Ｇ  緑色蛍光体に対応した電子ビーム
２０Ｂ  青色蛍光体に対応した電子ビーム
３０，３１  トリオ
【図１】
2008300221.tif 000004
【図２】
2008300221.tif 000005
【図３】
2008300221.tif 000006
【図４】
2008300221.tif 000007
【図５】
2008300221.tif 000008
【図６】
2008300221.tif 000009
【図７】
2008300221.tif 000010
【図８】
2008300221.tif 000011
【図９】
2008300221.tif 000012